(57)【特許請求の範囲】
【請求項１】
第１の側および第２の側を伴う駆動軸アダプタであって、
前記第１の側上に配置された第１の複数の整列穴と、
前記第１の側上に配置された凹状表面と、
を含む、駆動軸アダプタと、
第１の側および第２の側を伴うカッターアダプタであって、
前記第２の側上に配置された第２の複数の整列穴と、
前記第２の側上に配置された凸状表面と、
を含む、カッターアダプタと、
それぞれが第１の端部および第２の端部を伴う複数の整列ピンであって、前記第１の端部のそれぞれが、前記第１および第２の複数の整列穴のうちの１つ以上と摺動自在に係合する形状および寸法にされた曲面を含む、複数の整列ピンと、
前記カッターアダプタに取り付けられ、複数の切刃を含むカッターヘッドと、
金型面を有する金型プレートと、
を備え、前記カッターアダプタは、前記カッターアダプタを前記金型面に整列させるように、前記凸状表面、凹状表面、および前記複数の整列ピン上の前記曲面上を枢動することができる、システム。
【請求項２】
前記カッターアダプタの前記第１の側上に配置された凹状表面と、
前記カッターアダプタの前記第１の側上の前記凹状表面と摺動自在に係合される形状および寸法にされた凸状表面を含むプラグアダプタであって、前記プラグアダプタは、前記駆動軸アダプタと係合するようにさらに構成されている、プラグアダプタと、
をさらに含む、請求項１に記載のシステム。
【請求項３】
前記駆動軸アダプタの凹状表面、前記カッターアダプタの凸状表面、前記カッターアダプタの凹状表面、および前記プラグアダプタの凸状表面のうちの１つ以上は、プラズマコーティング、ＰＴＦＥコーティング、複合ダイヤモンドコーティング、またはＰＶＤコーティングを含む、請求項２に記載のシステム。
【請求項４】
前記プラグアダプタは、前記凸状表面上に配置された第１のシール溝と、
前記プラグアダプタの凸状表面および前記カッターアダプタの第１の側上の凹状表面を封止するアダプタシールと、
をさらに含む、請求項２に記載のシステム。
【請求項５】
前記アダプタシールは、Ｏリングである、請求項４に記載のシステム。
【請求項６】
前記カッターアダプタは、前記カッターアダプタの外周上に配置された第１のねじ切りされた表面をさらに含み、
前記カッターヘッドは、トロイダルカッターヘッドであり、前記複数の切刃は、外周面上に配置され、前記カッターヘッドは、前記カッターアダプタの外周上に配置された前記第１のねじ切りされた表面と螺合可能に内周面上に配置された第２のねじ切りされた表面を含む、請求項１に記載のシステム。
【請求項７】
前記複数の切刃のそれぞれは、前記複数の切刃を前記トロイダルカッターヘッドに着脱自在に結合する１つ以上の取付具をさらに含む、請求項６に記載のシステム。
【請求項８】
前記駆動軸アダプタの第１の側上に配置された第１の溝と、
前記カッターアダプタの第２の側上に配置された第２の溝と、
前記カッターアダプタの第２の表面に対し前記駆動軸アダプタの第１の表面を封止するための第１のシールと、
をさらに含む、請求項１に記載のシステム。
【請求項９】
前記複数の整列ピンのそれぞれの第２の端部は、前記駆動軸アダプタおよび前記カッターアダプタの１つとの螺合のためのねじを含む、請求項１に記載のシステム。
【請求項１０】
前記カッターヘッドに加えられた力が前記カッターアダプタの枢動を引き起こす、請求項１に記載のシステム。
【請求項１１】
前記複数の整列ピン上の前記曲面は、プラズマコーティング、ＰＴＦＥコーティング、複合ダイヤモンドコーティング、ＰＶＤコーティング、グラファイト、二硫化モリブデン、六方晶窒化ホウ素、または二硫化タングステンを含む、請求項１に記載のシステム。
【請求項１２】
動力源と、
第１の端部および第２の端部を伴い、前記第１の端部が前記動力源に着脱自在に結合された駆動軸と、
第１の側および第２の側を伴い、前記第１の側が前記駆動軸の前記第２の端部に着脱自在に結合された駆動軸アダプタであって、前記駆動軸アダプタは、
前記第２の側上に配置された第１の複数の整列穴と、
前記第２の側上に配置された凹状表面と、
を含む、駆動軸アダプタと、
第１の側および第２の側を伴い、
前記第１の側上に配置された第２の複数の整列穴と、
前記第１の側上に配置された凸状表面と、
を含む、カッターアダプタと、
それぞれが第１の端部および第２の端部を伴う複数の整列ピンであって、前記第１の端部のそれぞれが、前記第１および第２の複数の整列穴のうちの１つ以上と摺動自在に係合する形状および寸法にされた曲面を含む、複数の整列ピンと、
前記カッターアダプタに取り付けられ、複数の切刃を含むカッターヘッドと、
金型面を有する金型プレートと、
を備え、前記カッターアダプタは、前記カッターアダプタを前記金型面に整列させるように、前記凸状表面、凹状表面、および前記複数の整列ピン上の曲面上で枢動する、システム。
【請求項１３】
前記金型面は、複数の押出穴を含み、
前記カッターアダプタは、前記切刃を前記金型面と平行配列に整列させるように枢動する、請求項１２に記載のシステム。
【請求項１４】
前記切刃は、前記金型面に接触し、その結果生じる力が前記カッターアダプタの枢動を引き起こす、請求項１３に記載のシステム。
【請求項１５】
前記カッターアダプタは、前記カッターアダプタの外周上に配置された第１のねじ切りされた表面をさらに含み、
前記カッターヘッドは、トロイダルカッターヘッドであり、前記複数の切刃は、外周面上に配置され、前記カッターヘッドは、前記カッターアダプタの外周上に配置された前記第１のねじ切りされた表面と螺合可能に内周面上に配置された第２のねじ切りされた表面を含み、前記カッターアダプタは、前記複数の切刃を前記金型面と平行配列に整列させるように枢動する、請求項１２に記載のシステム。
【請求項１６】
前記駆動軸アダプタおよび前記複数の整列ピンは、一体的に製造される、請求項１２に記載のシステム。
【請求項１７】
前記複数の整列ピン上の前記曲面は、プラズマコーティング、複合ダイヤモンドコーティング、またはＰＶＤコーティングを含む、請求項１２に記載のシステム。
【請求項１８】
前記複数の整列ピン上の前記曲面は、ＰＴＦＥコーティング、グラファイト、二硫化モリブデン、六方晶窒化ホウ素、または二硫化タングステンを含む、請求項１２に記載のシステム。
【請求項１９】
前記駆動軸アダプタの凹状表面および前記カッターアダプタの凸状表面のうちの１つ以上は、プラズマコーティング、ＰＴＦＥコーティング、複合ダイヤモンドコーティング、ＰＶＤコーティング、グラファイト、二硫化モリブデン、六方晶窒化ホウ素、または二硫化タングステンを含む、請求項１２に記載のシステム。
【発明の詳細な説明】
【技術分野】
【０００１】
（関連出願への相互参照）
本出願は、米国特許法第１１９条（ｅ）項の下、２０１３年８月２０日に出願され、そして「Ｄｅｖｉｃｅ  ｆｏｒ  Ｓｅｌｆ−Ａｌｉｇｎｉｎｇ  ｏｆ  Ｃｕｔｔｉｎｇ  Ｈｕｂ  Ａｓｓｅｍｂｌｙ」と題する米国仮出願番号第６１／８６７，９０１号に基づく優先権を主張しており、この仮出願の全体の内容および実体は、本明細書によってあたかも以下に提示されているように参考として援用される。
【０００２】
（発明の背景）
１．発明の分野
本発明の実施形態は、自己整列カッターハブに関し、具体的には、その上の刃がペレタイザの押出金型プレートの金型面と適切に整列するようにペレタイザで用いられる自己整列カッターハブアセンブリに関する。
【背景技術】
【０００３】
２．先行技術の説明
ペレットを形成するための水中ペレタイザは、典型的には、それを通って溶融ポリマーが押し出されるオリフィスを伴う押出金型を用いる。具体的には、溶融ポリマーが金型面から外に押し出され、回転可能なカッターハブ上に取り付けられたカッターブレードが、プラスチック製「リボン」をペレットに切断する。カッターハブは、概して、駆動軸によって駆動される。カッターブレード（したがって、ハブ）は、好ましくは、ブレード自体が、金型面と実質的に平行になるように整列される。このようにすると、ペレットは、実質的に均一な形状となり、すなわち、金型面の第１の側からのペレットは、金型面の第２の側からのペレットよりも誤整列に起因してより大きくはない。
【０００４】
その結果、回転するカッターハブ上のブレードの刃先が金型面に非常に近い平行関係で動くように、カッターブレードおよび金型面を適切に整列した関係に維持することが望ましい。この近い平行関係は、プラスチックストランドが押出金型プレート内のオリフィスから放出される際に、押し出されたプラスチックをブレードがペレットに効率的に切断できるようにする。上述したように、平行整列はまた、実質的に均一なペレットの生産を可能にする。加えて、適正な整列は、ベアリングおよび軸への２つの不要な側面荷重の間の干渉に起因するカッターブレードおよび／または金型プレート面の不要な摩耗を防ぐ。
【０００５】
また、限定ではないが、例えば、洗浄および保全、ブレード交換、ならびに検査ができるように、金型プレートからカッターヘッドが分離できることが望ましい。しかしながら、再組立の際には、カッターヘッドは、金型面と再整列されなければならない。従来の構成は、多くの場合、金型面とカッターとの整列を手動に頼ってきた。残念ながら、機械を保守点検する度にカッターヘッドを手動で再配列することは、熟練工とかなりの時間とを要し、高価で複雑な調節手段を必要とする。
【０００６】
したがって、必要とされるものは、単純で堅牢なカッターヘッドおよび金型プレートの精密整列を提供するシステムおよび方法である。本システムは、比較的低い設備および保全コストで、良好な保守性と性能を提供するはずである。本発明の実施形態が主に関するのは、そのようなシステムである。
【発明の概要】
【課題を解決するための手段】
【０００７】
（発明の簡単な要旨）
本発明の実施形態は、ペレタイザまたは他の産業機械用のカッターハブアセンブリを含むことができる。本システムは、カッターハブおよび金型プレートの整列を、正確かつ単純に提供することができる。本システムは、限定ではないが、例えば、水中型、水封型、およびドライフェイス型ペレタイザに用いられ得る。カッターハブアセンブリは、カッターハブが自在枢動動作できる、カッターハブとハブ用駆動軸との間の自己整列駆動連結を、駆動軸とカッターハブとの間の駆動連結とともに有することができる。
【０００８】
自己整列ハブアセンブリは、駆動軸の端部に取り付けられ凹状球面を伴う軸アダプタを含むことができる。自己整列ハブアセンブリはまた、トルクを伝達するため、細長い回転楕円体状または丸みを帯びた表面を有する複数のピンを含むことができる。本システムはまた、軸アダプタの凹状球面と嵌合するように構成された凸状球面を有する切断ハブアダプタと、ハブの回転のためにトルクを伝達する細長い回転楕円体状ピン用の陥凹部とを含むことができる。切断ハブアダプタは、球状保持プラグと摺動自在に係合するために、軸アダプタの反対側上に凹状球面をさらに含むことができる。球状保持プラグの凸状球面は、切断ハブアダプタの凹状球面と摺動可能に係合する形状および寸法にされ得る。球状保持プラグは、袋ねじまたは一体の切削ねじ等のファスナによってアセンブリ内に保持され得る。
【０００９】
本発明の実施形態は、第１の側および第２の側を伴う駆動軸アダプタを備えるシステムを含むことができる。駆動軸アダプタは、第１の側に配置された第１の複数の整列穴と、第１の側に配置された凹状表面とを含むことができる。駆動軸アダプタは、第１の側および第２の側を伴うカッターアダプタをさらに含むことができ、そして第２の側上に配置された第２の複数の整列穴と、第２の側上に配置された凸状表面とを含むことができる。いくつかの実施形態では、本発明は、それぞれが第１の端部および第２の端部を伴い、第１の端部のそれぞれが第１のおよび第２の複数の整列穴のうちの１つまたはそれを上回るものと摺動自在に係合するような形状および寸法にされた曲面を含む、複数の整列ピンをさらに備えることができる。いくつかの実施形態では、カッターアダプタは、カッターアダプタを金型面に整列させるように、複数の整列ピン上の凸状表面、凹状表面、および曲面上を枢動することができる。
【００１０】
いくつかの実施形態では、凹状表面は、カッターアダプタの第１の側上に配置され得る。いくつかの実施形態では、カッターアダプタの第１の側の凹状表面と摺動自在に係合する形状および寸法にされた凸状表面を含むプラグアダプタは、駆動軸アダプタと係合するように構成され得る。
【００１１】
いくつかの実施形態では、駆動軸アダプタの凹状表面、カッターアダプタの凸状表面、カッターアダプタの凹状表面、およびプラグアダプタの凸状表面のうちの１つまたはそれを上回るものは、研磨、無電解めっき、電気めっき、プラズマコーティング、ＰＴＦＥコーティング、複合ダイヤモンドコーティング、またはＰＶＤコーティングのうちの１つまたはそれを上回るものによって表面処理され得る。いくつかの実施形態では、プラグアダプタは、凸状表面上に配置された第１のシール溝と、プラグアダプタの凸状表面およびカッターアダプタの第１の側上の凹状表面を封止するアダプタシールをさらに含むことができる。いくつかの実施形態では、アダプタシールは、Ｏリングであることができる。
【００１２】
いくつかの実施形態では、カッターアダプタは、カッターアダプタの外周上に配置された第１のねじ切りされた表面をさらに含むことができ、そして、外周面に配置された複数の切刃およびカッターアダプタの外周上に配置された第１のねじ切りされた表面と螺合可能であり得る内周面上に配置された第２のねじ切りされた表面を含むトロイダルカッターヘッドが存在し得る。いくつかの実施形態では、複数の切刃のそれぞれは、複数の切刃をトロイダルカッターヘッドに着脱自在に結合する、１つまたはそれを上回る取付具をさらに含むことができる。
【００１３】
いくつかの実施形態では、本発明は、駆動軸アダプタの第１の側上に配置された第１の溝と、カッターアダプタの第２の側上に配置された第２の溝と、カッターアダプタの第２の表面に対し、駆動軸アダプタの第１の表面を封止するための第１のシールとをさらに含むことができる。いくつかの実施形態では、複数の整列ピンのそれぞれの第２の端部は、駆動軸アダプタおよびカッターアダプタの１つとの螺合のためのねじを含む。
【００１４】
いくつかの実施形態では、カッターヘッドは、カッターアダプタに取り付けられ得、カッターヘッドに加えられた力がカッターアダプタの枢動を引き起こし得る。いくつかの実施形態では、複数の整列ピン上の曲面は、表面硬度処理および表面潤滑処理のうちの１つまたはそれを上回るものを含む。
【００１５】
本発明の実施形態は、動力源と、第１の端部および第２の端部を伴い、第１の端部が動力源に着脱自在に結合された駆動軸と、第１の側および第２の側を伴い、第１の側が駆動軸の第２の端部に着脱自在に結合された駆動軸アダプタとを備えるシステムをさらに含むことができる。いくつかの実施形態では、駆動軸アダプタは、第２の側上に配置された第１の複数の整列穴および第２の側上に配置された凹状表面を含むことができる。いくつかの実施形態では、本発明は、第１の側および第２の側を伴うカッターアダプタをさらに含むことができる。カッターアダプタは、第１の側上に配置された第２の複数の整列穴および第１の側上に配置された凸状表面を含むことができる。いくつかの実施形態では、本発明は、それぞれが第１の端部および第２の端部を伴い、第１の端部のそれぞれが、第１および第２の複数の整列穴のうちの１つまたはそれを上回るものと摺動自在に係合する曲面を有する、複数の整列ピンをさらに含むことができる。いくつかの実施形態では、カッターアダプタは、凸状表面、凹状表面、および複数の整列ピン上の曲面上で枢動することができる。
【００１６】
いくつかの実施形態では、本発明は、複数の押出穴を含む金型面と、カッターアダプタに取り付けられ切刃を含むカッターヘッドとをさらに含むことができ、カッターアダプタは、切刃を金型面と平行配列に整列させるように枢動することができる。いくつかの実施形態では、切刃は、金型面に接触することができ、その結果生じる力が、カッターアダプタの枢動を引き起こすことができる。
【００１７】
いくつかの実施形態では、カッターアダプタは、カッターアダプタの外周に配置された第１のねじ切りされた表面と、外周面上に配置された複数の切刃を含むトロイダルカッターヘッドと、カッターアダプタの外周に配置された第１のねじ切りされた表面と螺合可能に内周面上に配置された第２のねじ切りされた表面とをさらに含むことができ、カッターアダプタは、複数の切刃を金型面と平行配列に整列させるように枢動することができる。
【００１８】
いくつかの実施形態では、駆動軸アダプタおよび複数の整列ピンは、一体的に製造される。いくつかの実施形態では、複数の整列ピン上の曲面は、表面硬度処理を含む。いくつかの実施形態では、複数の整列ピン上の曲面は、表面潤滑処理を含む。いくつかの実施形態では、駆動軸アダプタの凹状表面およびカッターアダプタの凸状表面のうちの１つまたはそれを上回るものは、研磨、無電解めっき、電気めっき、プラズマコーティング、ＰＴＦＥ（ポリテトラフルオロエチレン）コーティング、複合ダイヤモンドコーティング、またはＰＶＤ（物理的気相成長法）コーティングのうちの１つまたはそれを上回るものによって表面処理される。
【００１９】
本発明の実施形態は、切刃を金型表面に整列させるためのシステムをさらに含むことができる。本システムは、駆動軸に接続され、第１の側に配置された凹状表面を有する駆動軸アダプタと、カッターアダプタと、第１の側に配置され、凸状表面を伴うプラグアダプタと、カッターアダプタに取り付けられ、切刃を含むカッターヘッドとを含むことができる。いくつかの実施形態では、カッターアダプタは、切刃に加えられた力に応答して、駆動軸アダプタの凹状表面とプラグアダプタの凸状表面との間を枢動することができる。
【００２０】
いくつかの実施形態では、カッターアダプタは、駆動軸アダプタの凹状表面と摺動自在に係合する凸状表面と、プラグアダプタの凸状表面と摺動自在に係合する凹状表面とを含むことができる。いくつかの実施形態では、本発明は、駆動軸アダプタからカッターアダプタにトルクを伝達する複数の整列ピンをさらに含むことができ、これらの整列ピンは、カッターアダプタが枢動することを妨げない。いくつかの実施形態では、整列ピンは、表面硬度処理および表面潤滑処理のうちの１つまたはそれを上回るものを伴う曲面を含むことができる。
【００２１】
いくつかの実施形態では、駆動軸アダプタの凹状表面およびプラグアダプタの凸状表面のうちの１つまたはそれを上回るものは、研磨、無電解めっき、電気めっき、プラズマコーティング、ＰＴＦＥコーティング、複合ダイヤモンドコーティング、またはＰＶＤコーティングのうちの１つまたはそれを上回るものによって表面処理され得る。
本明細書は、例えば、以下の項目も提供する。
（項目１）
第１の側および第２の側を伴う駆動軸アダプタであって、
前記第１の側上に配置された第１の複数の整列穴と、
前記第１の側上に配置された凹状表面と、
を含む、駆動軸アダプタと、
第１の側および第２の側を伴うカッターアダプタであって、
前記第２の側上に配置された第２の複数の整列穴と、
前記第２の側上に配置された凸状表面と、
を有する、カッターアダプタと、
それぞれが第１の端部および第２の端部を伴う複数の整列ピンであって、前記第１の端部のそれぞれが、前記第１および第２の複数の整列穴のうちの１つまたはそれを上回るものと摺動自在に係合する形状および寸法にされた曲面を含む、複数の整列ピンと、
を備え、前記カッターアダプタは、前記カッターアダプタを金型面に整列させるように、前記凸状表面、凹状表面、および前記複数の整列ピン上の前記曲面上を枢動することができる、システム。
（項目２）
前記カッターアダプタの前記第１の側上に配置された凹状表面と、
前記カッターアダプタの前記第１の側上の前記凹状表面と摺動自在に係合される形状および寸法にされた凸状表面を含むプラグアダプタであって、前記駆動軸アダプタと係合するようにさらに構成されたプラグアダプタと、
をさらに含む、項目１に記載のシステム。
（項目３）
前記駆動軸アダプタの凹状表面、前記カッターアダプタの凸状表面、前記カッターアダプタの凹状表面、および前記プラグアダプタの凸状表面のうちの１つまたはそれを上回るものは、研磨、無電解めっき、電気めっき、プラズマコーティング、ＰＴＦＥコーティング、複合ダイヤモンドコーティング、またはＰＶＤコーティングのうちの１つまたはそれを上回るものによって表面処理される、項目２に記載のシステム。
（項目４）
前記プラグアダプタは、前記凸状表面上に配置された第１のシール溝と、
前記プラグアダプタの凸状表面および前記カッターアダプタの第１の側上の凹状表面を封止するアダプタシールと、
をさらに含む、項目２に記載のシステム。
（項目５）
前記アダプタシールは、Ｏリングである、項目４に記載のシステム。
（項目６）
前記カッターアダプタは、前記カッターアダプタの外周上に配置された第１のねじ切りされた表面と、
外周面に配置された複数の切刃および前記カッターアダプタの外周上に配置された前記第１のねじ切りされた表面と螺合可能に内周面上に配置された第２のねじ切りされた表面を含むトロイダルカッターヘッドと、
をさらに含む、項目１に記載のシステム。
（項目７）
前記複数の切刃のそれぞれは、前記複数の切刃を前記トロイダルカッターヘッドに着脱自在に結合する１つまたはそれを上回る取付具をさらに含む、項目６に記載のシステム。
（項目８）
前記駆動軸アダプタの第１の側上に配置された第１の溝と、
前記カッターアダプタの第２の側上に配置された第２の溝と、
前記カッターアダプタの第２の表面に対し前記駆動軸アダプタの第１の表面を封止するための第１のシールと、
をさらに含む、項目１に記載のシステム。
（項目９）
前記複数の整列ピンのそれぞれの第２の端部は、前記駆動軸アダプタおよび前記カッターアダプタの１つとの螺合のためのねじを含む、項目１に記載のシステム。
（項目１０）
前記カッターアダプタに取り付けられたカッターヘッドをさらに含み、前記カッターヘッドに加えられた力が前記カッターアダプタの枢動を引き起こす、項目１に記載のシステム。
（項目１１）
前記複数の整列ピン上の前記曲面は、表面硬度処理および表面潤滑処理のうちの１つまたはそれを上回るものを含む、項目１に記載のシステム。
（項目１２）
動力源と、
第１の端部および第２の端部を伴い、前記第１の端部が前記動力源に着脱自在に結合された駆動軸と、
第１の側および第２の側を伴い、前記第１の側が前記駆動軸の前記第２の端部に着脱自在に結合された駆動軸アダプタであって、
前記第２の側上に配置された第１の複数の整列穴と、
前記第２の側上に配置された凹状表面と、
を含む、駆動軸アダプタと、
第１の側および第２の側を伴い、
前記第１の側上に配置された第２の複数の整列穴と、
前記第１の側上に配置された凸状表面と、
を含む、カッターアダプタと、
それぞれが第１の端部および第２の端部を伴い、前記第１の端部のそれぞれが、前記第１および第２の複数の整列穴のうちの１つまたはそれを上回るものと摺動自在に係合する曲面を有する、複数の整列ピンと、
を備え、前記カッターアダプタは、前記凸状表面、凹状表面、および前記複数の整列ピン上の曲面上で枢動する、システム。
（項目１３）
複数の押出穴を含む金型面と、
前記カッターアダプタに取り付けられ、切刃を含むカッターヘッドと、
をさらに含み、前記カッターアダプタは、前記切刃を前記金型面と平行配列に整列させるように枢動する、項目１２に記載のシステム。
（項目１４）
前記切刃は、前記金型面に接触し、その結果生じる力が前記カッターアダプタの枢動を引き起こす、項目１３に記載のシステム。
（項目１５）
前記カッターアダプタは、前記カッターアダプタの外周に配置された第１のねじ切りされた表面と、
外周面上に配置された複数の切刃を含むトロイダルカッターヘッドと、前記カッターアダプタの外周に配置された、前記第１のねじ切りされた表面と螺合可能に内周面上に配置された第２のねじ切りされた表面と、
をさらに含み、前記カッターアダプタは、前記複数の切刃を前記金型面と平行配列に整列させるように枢動する、項目１２に記載のシステム。
（項目１６）
前記駆動軸アダプタおよび前記複数の整列ピンは、一体的に製造される、項目１２に記載のシステム。
（項目１７）
前記複数の整列ピン上の前記曲面は、表面硬度処理を含む、項目１２に記載のシステム。
（項目１８）
前記複数の整列ピン上の前記曲面は、表面潤滑処理を含む、項目１２に記載のシステム。
（項目１９）
前記駆動軸アダプタの凹状表面および前記カッターアダプタの凸状表面のうちの１つまたはそれを上回るものは、研磨、無電解めっき、電気めっき、プラズマコーティング、ＰＴＦＥコーティング、複合ダイヤモンドコーティング、またはＰＶＤコーティングのうちの１つまたはそれを上回るものによって表面処理される、項目１２に記載のシステム。
（項目２０）
切刃を金型表面に整列させるためのシステムであって、
駆動軸に接続され、第１の側に配置された凹状表面を有する駆動軸アダプタと、
カッターアダプタと、
第１の側に配置される凸状表面を伴うプラグアダプタと、
前記カッターアダプタに取り付けられ、切刃を含むカッターヘッドと、
を備え、前記カッターアダプタは、前記切刃に加えられた力に応答して、前記駆動軸アダプタの凹状表面と前記プラグアダプタの凸状表面との間を枢動する、システム。
（項目２１）
前記カッターアダプタは、前記駆動軸アダプタの凹状表面と摺動自在に係合する凸状表面および前記プラグアダプタの凸状表面と摺動自在に係合する凹状表面を含む、項目２０に記載のシステム。
（項目２２）
前記駆動軸アダプタから前記カッターアダプタにトルクを伝達する複数の整列ピンをさらに含み、前記整列ピンは、前記カッターアダプタが枢動することを妨げない、項目２０に記載のシステム。
（項目２３）
前記整列ピンは、表面硬度処理および表面潤滑処理のうちの１つまたはそれを上回るものを伴う曲面を含む、項目２２に記載のシステム。
（項目２４）
前記駆動軸アダプタの凹状表面および前記プラグアダプタの凸状表面のうちの１つまたはそれを上回るものは、研磨、無電解めっき、電気めっき、プラズマコーティング、ＰＴＦＥコーティング、複合ダイヤモンドコーティング、またはＰＶＤコーティングのうちの１つまたはそれを上回るものによって表面処理される、項目２０に記載のシステム。
【００２２】
本発明のこれらおよびその他の目的、特徴、および利点は、付随の図面とともに下記の明細書を読むことで、より明らかとなるであろう。
【図面の簡単な説明】
【００２３】
【図１】図１ａおよび１ｂはそれぞれ、本発明のいくつかの実施形態による、駆動軸アダプタの前側および後側の等角図を図示する。
【図２】図２ａおよび２ｂはそれぞれ、本発明のいくつかの実施形態による、カッターアダプタの前側および後側の等角図を図示する。
【図３】図３ａおよび３ｂはそれぞれ、本発明のいくつかの実施形態による、整列ピンの模式図および等角図を図示する。
【図４】図４ａ−４ｃはそれぞれ、本発明のいくつかの実施形態による、半球状保持プラグの模式図、上面図、および等角図を図示する。
【図５ａ】図５ａは、本発明のいくつかの実施形態による、自己整列カッターハブシステムの等角分解図を描写する。
【図５ｂ】図５ｂは、本発明のいくつかの実施形態による、ボルト締めフランジを伴うカッターヘッドおよびカッターハブの等角分解図を描写する。
【図６】図６は、本発明のいくつかの実施形態による、ペレタイザ内に設置されたシステムを描写する。
【図７ａ】図７ａは、本発明のいくつかの実施形態による、平行位置にあるカッターハブアセンブリの断面図を図示する。
【図７ｂ】図７ｂは、本発明のいくつかの実施形態により、システムが１°の誤整列を補正しつつある位置における、カッターハブアセンブリの断面図を図示する。
【発明を実施するための形態】
【００２４】
（発明の詳細な説明）
本発明の実施形態は、カッターヘッドを金型面と適正な整列に取り付けるためのシステムに関する。本システムは、切断ハブの金型面に対する整列を改善する、一連の相補的球面を利用することができる。いくつかの実施形態では、システムはまた、付加的な整列を提供するための、回転楕円体状または楕円状の嵌合面を伴う複数のファスナを使用することができる。
【００２５】
本発明の様々な実施形態の原理および特徴の理解を容易にするため、様々な例証的実施形態が以下に説明される。本発明の例示的実施形態は、ペレタイザ上のカッターヘッドを整列させるためのシステムおよび方法として詳細に説明されるが、整列を必要とする他種の機械を採用する実施形態等、その他の実施形態が企図されることが理解されるべきである。したがって、本発明は、以下の記述または実施例で説明される構成要素の構成および配列の詳細にその範囲が限定されることを意図しない。本発明は、他の実施形態が可能であり、様々な方法で実施または実行することが可能である。また、例示的実施形態を記述する際には、明確性のため、詳細な用語が使用され得る。
【００２６】
本明細書および添付の請求項で用いられるように、単数形「ａ」、「ａｎ」、および「ｔｈｅ」は、文脈によって明確に別様に示されない限り、複数参照を含むこともまた留意される必要がある。例えば、構成要素への参照はまた、複数の構成要素の構成を含むことが意図される。「１つの（ａ）」構成要素を含む構成への参照は、指名されたものに加えて他の構成要素を含むことが意図される。
【００２７】
また、例示的実施形態の記述においては、明確性のために専門用語が使われるであろう。各用語は、当業者によって理解される最も広い意味を勘案し、同様の方法で同様の目的を達成する方法で動作する、全ての技術的均等物を含むことが意図される。
【００２８】
本明細書における範囲は、「約（ａｂｏｕｔ）」もしくは「およそ（ａｐｐｒｏｘｉｍａｔｅｌｙ）」もしくは「実質的に（ｓｕｂｓｔａｎｔｉａｌｌｙ）」１つの特定の値から、および／または「約」もしくは「およそ」もしくは「実質的に」別の特定の値までとして表現され得る。そのような範囲が表現されるとき、他の例示的実施形態は、１つの特定の値から、および／またはもう一方の特定の値までを含む。
【００２９】
「備える（ｃｏｍｐｒｉｓｉｎｇ）」または「含有する（ｃｏｎｔａｉｎｉｎｇ）」または「含む（ｉｎｃｌｕｄｉｎｇ）」によって意味するところは、少なくとも指名された構成、要素、物品、または方法ステップが、構成または物品または方法内に存在することであり、他の構成、材料、物品、方法ステップが指名されたものと同一の機能を有する場合であっても、そのような他の構成、材料、物品、方法ステップの存在を排除するものではない。
【００３０】
１つまたはそれを上回る方法ステップへの言及は、付加的方法ステップまたは明示的に特定されたステップの間に介在する方法ステップの存在を除外するものではないこともまた理解されるべきである。同様に、構成内の１つまたはそれを上回る構成要素への言及は、明示的に特定されたもの以外の付加的構成要素の存在を除外するものではないこともまた理解されるべきである。
【００３１】
本発明の様々な要素を作り上げるものとして記載される材料は、説明用であり、限定的ではないことが意図される。本明細書で記述される材料と同じまたは同様の機能を果たすであろう多くの好適な材料は、本発明の範囲内に含まれることが意図される。本明細書に記載されないそのような他の材料は、限定ではないが、例えば、本発明の開発以降の時点で開発される材料を含むことができる。
【００３２】
本開示の原理および特徴についての理解を容易にするため、様々な例証的実施形態が以下に説明される。特に、本開示の様々な実施形態は、自己整列カッターハブとして記述される。しかしながら、本発明のいくつかの実施形態は、他の文脈にも適用可能であり得、これらの実施形態を採用する実施形態が企図される。限定ではないが、例えば、本発明のいくつかの実施形態は、カッターヘッドが金型面の近位に配置される他種の切断機等、整列を必要とする様々な種類の機械に適用可能であり得る。したがって、「ペレタイザ」もしくは「ペレット」等の用語または関連する用語または構成要素が本開示の全体を通して用いられる場合、本発明の様々な実施形態では、他のデバイス、存在物、オブジェクト、構成要素、または行為がこれらに替わり得ることが理解されるであろう。
【００３３】
本発明の様々な要素を作り上げるものとして以下に記載される材料は、説明用であり、限定的ではないことが意図される。本明細書で記述される材料と同じまたは同様の機能を果たすであろう多くの好適な材料は、本発明の範囲内に含まれることが意図される。本明細書に記載されないそのような他の材料は、限定ではないが、例えば、本発明の開発以降の時点で開発される材料を含むことができる。様々な図面に掲載される任意の寸法は、説明の目的だけのためにあり、限定を意図するものではない。他の寸法および比率が考案され、本発明の範囲内に含まれるものとして企図される。
【００３４】
上記のように、従来の整列方法の問題は、それらは、概して、重いおよび／もしくは高価または十分に正確ではない、のいずれかである。したがって、従来のシステムおよび方法の欠点に対処するため、本発明の実施形態は、切断ヘッドを金型の表面に整列させる堅牢で正確な手段を提供することができる。後述するように、本システムは、自己整列切断ヘッドを提供するため、多くの球状または楕円状表面を用いることができる。このようにして、切断ヘッドは、（例えば、保守点検または修理の後の）機械の再組立に際し、金型面と自動的に整列され得る。
【００３５】
図１ａ〜２ｂに示されるように、本発明の実施形態は、駆動軸アダプタ１００およびカッターアダプタ２００を備えることができる。いくつかの実施形態では、駆動軸アダプタ１００は、凹状球面１０５を含むことができる。駆動軸アダプタ１００はまた、複数の取付ボルト穴１１０および第１の複数の整列ピン穴１１５を含むことができる。いくつかの実施形態では、整列ピン穴１１５は、以下により詳しく説明されるであろう楕円状または半球状の嵌合せ面１１５ａを含むことができる。駆動軸アダプタ１００はまた、以下に記述されるように、駆動軸上に駆動軸アダプタ１００を取り付け、そして／または駆動軸アダプタ１００をプラグアダプタ４００に接続するための取付穴１２０を含むことができる。いくつかの実施形態では、取付穴１２０はねじ切りされ得る。
【００３６】
いくつかの実施形態では、カッターアダプタ２００は、駆動軸アダプタ１００上の凹状表面１０５と嵌合し得る相補的な凸状球面２０５を含むことができる。当然ながら、この幾何学的形状は、幾分か任意であり、凸状／凹状表面は、例えば、逆であり得る。いくつかの実施形態では、カッターアダプタ２００はまた、半球状または楕円状の嵌合面２１０ａを伴う第２の複数の整列穴２１０を含むことができる。
【００３７】
いくつかの実施形態では、カッターアダプタ２００はまた、ブレードハブまたはカッターヘッドまたは他の構成要素がその上に取り付けられるようにする、ねじ切りされた外部表面２１５を含むことができる。他の実施形態では、カッターアダプタ２００は、ボルト締めフランジまたは他の取付手段を含むことができる。いくつかの実施形態では、カッターアダプタ２００はまた、半球状または楕円状嵌合面２２０ａを伴う取付穴２２０を含むことができる。
【００３８】
図３ａおよび３ｂに示されるように、本システムはまた、複数の整列ピン３００を含むことができる。いくつかの実施形態では、整列ピン３００は、丸みを帯びたまたは楕円状のヘッド３０５、ねじ切り部分３１０、および肩部３１５を含むことができる。図１ａに示されるように、整列ピン３００は、軸アダプタ１００内に配置された整列ピン穴１１５内およびカッターアダプタ２００内の整列穴２１０内に配置され得る。いくつかの実施形態では、整列ピン３００の曲面３０５は、整列穴１１５、２１０の嵌合面１１５ａ、２１０に適合するように構成され得る。
【００３９】
いくつかの実施形態では、整列ピン３００は、ねじ３１０をさらに含むことができ、整列ピン穴１１５に螺接され得る。他の実施形態では、整列ピン３００は、軸アダプタ１００および／またはカッターアダプタ２００に、限定ではないが、例えば、圧入、溶接、鋳込み、または接着剤で貼付され得る。さらに異なる実施形態では、軸アダプタ１００（もしくはカッターアダプタ２００）および整列ピン３００は、一体または単一の整列ピン３００を伴う軸アダプタ１００を形成するように、金属の単一片から鋳造または鍛造され得る（例えば、軸アダプタ１００およびピン３００は、単一片の鋳物または鍛造金属として一体的に製造され得る）。
【００４０】
いくつかの実施形態では、整列ピン３００は、例えば、工具鋼、ステンレス鋼、熱処理されたステンレス鋼、またはそれらの組み合せを含むことができる。他の実施形態では、整列ピン３００は、例えば、セラミック、プラスチック、チタン、または炭化物材料を含むことができる。当然ながら、整列ピン３００は、他の好適な材料を含むことができ、前述した材料への限定は、意図されない。
【００４１】
いくつかの実施形態では、整列ピン３００の丸みを帯びたヘッド３０５は、軸アダプタ１００とカッターアダプタ２００との間でトルクを伝達するように作用することができる。このように、ピン３００のヘッド３０５および／または肩部３１５は、潤滑性および／または耐摩耗性を高めるために表面処理され得る。いくつかの実施形態では、表面処理は、限定ではないが、例えば、研磨、無電解めっき、電気めっき、プラズマコーティング、複合ダイヤモンドコーティング、ＰＶＤコーティング、硬質陽極酸化処理、またはそれらの組み合わせを含む表面硬度処理を含むことができる。他の実施形態では、表面処理は、限定ではないが、研磨、ＰＴＦＥコーティング、グラファイト、二硫化モリブデン、六方晶窒化ホウ素、二硫化タングステン、またはそれらの組み合わせを含む表面潤滑処理を含むことができる。
【００４２】
図４ａ〜４ｃに示されるように、カッターアダプタ２００は、プラグアダプタ４００を用いて駆動軸アダプタ１００に固定され得る。プラグアダプタ４００は、カッターアダプタ２００の嵌合面２２０ａと嵌合するように構成された球状または楕円状の嵌合面４０５を含むことができる。プラグアダプタ４００はまた、後述するように、駆動軸アダプタとインターフェースするよう、カッターアダプタ２００の取付穴２２０を通して延在することができる。
【００４３】
いくつかの実施形態では、図４ａ〜４ｃに示されるように、プラグアダプタ４００は、プラグアダプタ４００と駆動軸アダプタ１００とを結合するように駆動軸アダプタ１００と嵌合するねじ４１０を含むことができる。いくつかの実施形態では、図５ａに示されるように、プラグアダプタ４００は、この目的のため、ボルト５５０を含むことができる。ボルト５５０は、駆動軸アダプタ１００内でボルト５５０が設置され締め付けられ得るようにするＴｏｒｘ（登録商標）、Ａｌｌｅｎ、または他の好適なヘッド５５５を含むことができる。当然ながら、いくつかの実施形態では、ボルト５５０はまた、駆動軸アダプタ１００のねじ切り部分と嵌合するねじ切り部分５６０を含むことができる。他の実施形態では、ボルト５５５は、駆動軸アダプタ１００内に圧入または別様に保持され得る。
【００４４】
いくつかの実施形態では、プラグアダプタ４００はまた、グリース、油、および他の産物を封入し汚染物の混入を封止するためのＯリング５６５（図５ａ）を受容する、Ｏリング溝４１５を含むことができる。いくつかの実施形態では、プラグアダプタは、カッターアダプタ２００の取付穴２２０と正確にインターフェースする形状および寸法にされたカラーまたはスペーサ４２０をさらに含むことができる。
【００４５】
図５ａに示されるように、組み立てられたシステム５００は、カッターヘッド５０５、カッターアダプタ２００、および軸アダプタ１００を含むことができる。したがって、いくつかの実施形態では、軸アダプタ１００は、複数のファスナ５１０を用いて、駆動軸または他の動力源にボルト締めされ得る。ファスナ５１０は、例えば、ボルト、ねじ、リベット、またはピンであることができる。いくつかの実施形態では、ファスナ５１０は、軸アダプタ１００の前面の袋ねじの皿頭（ｃｏｕｎｔｅｒｓｕｎｋ）であることができる。
【００４６】
軸アダプタ１００は、複数の整列ピン３００をさらに含むことができる。いくつかの実施形態では、整列ピン３００は、ねじ３１０を含むことができ、軸アダプタ１００を螺合することができる。他の実施形態では、整列ピン３００は、圧入、溶接、または別様に軸アダプタ１００に固定され得る。さらに異なる実施形態では、整列ピン３００は、例えば、軸アダプタ１００を伴って一体的に鋳造または鍛造され得る（すなわち、整列ピン３００および軸アダプタ１００は一体とすることができる）。いくつかの実施形態では、軸アダプタ１００およびカッターアダプタ２００はまた、Ｏリング溝５１５およびリング５２０を含むことができる。いくつかの実施形態では、Ｏリング５２０は、油およびグリースがシステム５００から逃げるのを防ぎ、水およびゴミがシステム５００に入るのを防ぐため、軸アダプタ１００とカッターアダプタ２００との間を封止することができる。Ｏリング５２０は、軸アダプタ１００とカッターアダプタ２００との間のインターフェースに柔軟性を提供することができ、これら２つが僅かに枢動できるようにする。
【００４７】
いくつかの実施形態では、カッターアダプタ２００は、ファスナおよびプラグアダプタ４００を用いて軸アダプタ１００に固定され得る。いくつかの実施形態では、カッターアダプタ２００の外面は、ねじ２１５を含むことができる。このように、カッターヘッド５０５は、カッターアダプタ２００との螺合のための相補的ねじ５０５ａを含むことができる。他の実施形態では、カッターヘッド５０５は、カッターアダプタ２００にボルト締め、圧入、ろう付け、溶接、または別様に固定され得る。なおその他の実施形態では、カッターアダプタ２００およびカッターヘッド５０５は、例えば、単一の構成要素として鋳造または鍛造され得る（すなわち、カッターアダプタ２００およびカッターヘッド５０５は、単一片であり得る）。
【００４８】
さらに異なる実施形態では、図５ｂに示されるように、カッターヘッド５０５は、取付穴５８５を伴う取り付けフランジ５８０を含むことができ、カッターアダプタ２００は、複数の一致する取付穴５９０を含むことができる。このように、カッターヘッド５０５は、限定ではないが、例えば、ボルト、リベット、またはピン等のファスナ５９５を用いて、カッターアダプタ２００に取り付けられ得る。
【００４９】
いくつかの実施形態では、カッターヘッド５０５は、取り外し可能／交換可能な切刃５０５ｂをさらに含むことができる。これは、ブレード５０５ｂが取り外され、必要に応じて交換されるおよび／または砥がれることを可能にし得る。いくつかの実施形態では、ブレード５０５ｂは、１つまたはそれを上回るファスナ５０５ｃを用いて、カッターヘッド５０５に取り付けられ得る。他の実施形態では、ブレード５０５ｂは、カッターヘッド５０５に対し、一体化、接着、ピン止め、楔止め、または別様に固定され得る。
【００５０】
カッターアダプタ２００、カッターヘッド５０５、および軸アダプタ１００は、限定ではないが、例えば、工具鋼、ステンレス鋼、熱処理されたステンレス鋼、またはそれらの組み合わせで作られ得る。他の例示的実施形態では、カッターアダプタ２００、カッターヘッド５０５、および軸アダプタ１００は、セラミック、プラスチック、チタン、または炭化物材料で作られ得る。当然ながら、カッターアダプタ２００、カッターヘッド５０５、および軸アダプタ１００は他の材料によっても作られ得、前述の材料に限定されることは決してない。いくつかの実施形態では、球面１０５、２０５、３０５、および４０５は、潤滑性および／または耐摩耗性を改善するため、研磨、無電解めっき、電気めっき、プラズマコーティング、ＰＴＦＥコーティング、複合ダイヤモンドコーティング、またはＰＶＤコーティング等で表面処理され得る。
【００５１】
他の実施形態では、前述の表面処理は、洗浄、酸洗、酸洗浄、アルカリ洗浄、窒化、浸炭窒化、電気めっき、無電解めっき、高速用途を含む火炎溶射、溶射、プラズマ溶射、焼結、浸漬コーティング、粉末コーティング、真空蒸着、化学蒸着、物理蒸着、スパッタリング技法、スプレーコーティング、および熱、輻射、および／または光硬化技法を利用する反応性コーティング、窒化、浸炭窒化、リン酸塩、およびその上の１つを上回る層の形成を限定ではないが含む、１つ、２つ、そして潜在的には多数のプロセスを含むことができる。これらのプロセスを利用して適用される材料は、金属、無機酸化物、無機炭化物、無機窒化物、無機炭窒化物、腐食防止剤、犠牲電極、ならびにウレタンおよびフルオロエタン、ポリオレフィンおよび置換ポリオレフィン、ポリエステル、ポリアミド、フルオロポリマー、ポリカーボネート、ポリアセタール、ポリスルフィド、ポリスルホン、ポリアミドイミド、ポリエーテル、ポリエーテルケトン、シリコーン、および同等物を含むポリマーを含むことができる。
【００５２】
図６は、ペレタイザ６００内に設置されたシステム５００を描写する。ペレタイザ６００は、金型６２０を通して流れ、その後、金型面６２５内の一連の押出穴６５５を通して押し出される、溶融プラスチック６５０または他の材料の流れを含む。材料６５０が押し出されると、カッターブレード５０５ｂは、押出されたプラスチック６５０のリボンを均一なペレットに切断する。ペレットは、その後、冷却水流６６０に入り、そこで、実質的に完全なペレットに凝固する。
【００５３】
駆動軸６１５および動力源６１０は、複数のファスナ５１０を介して軸アダプタ１００に取り付けられ得る。動力は、その後、丸みを帯びたヘッド３０５を伴う複数の整列ピン３００を介して、軸アダプタ１００からカッターアダプタ２００に伝達され得る。いくつかの実施形態では、カッターアダプタ２００は、カッターヘッド５０５に動力を伝達することができる。
【００５４】
システム５００の構成要素を接続するのに用いられる半球状、球状、または楕円状の表面１０５、２０５、３０５、および４０５は、結合して、カッターブレード５０５ｂが金型面６２５と自動的に整列することを可能にするため、カッターアダプタ２００が数度の動きを通して枢動できるようにするシステム５００を提供する。上述したように、この自己整列の特徴は、カッターブレード５０５ｂが金型面６２５に対して実質的に平行に動作できるようにし、それが、ブレード５０５ｂおよび金型面６２５の摩耗を低減する。これは、保全および部品コストを低減し、また、より一貫性のあるペレットの幾何学的形状を提供する。当然ながら、本システムはまた、切刃および金型面（または他の切断面）の整列が望ましい他の機械にも使用され得よう。
【００５５】
図７ａは、平行位置にあるシステム５００を描写する。換言すれば、システム５００が組み立てられ、そしてカッターヘッド５０５と金型面６２５との間に芯ずれが無い場合、調整は不要である。しかしながら、図７ｂに示されるように、システム５００が組み立てられ、カッターヘッド５０５と金型面６２５との間に若干の誤整列が存在する場合、システム５００は、カッターヘッド５０５および金型面６２５を再整列させるように自動的に傾く。示されるように、カッターヘッド５０５は、曲面１０５、２０５、３０５、および４０５上を枢動することができる一方、Ｏリング５２０は、１つの側でわずかに圧縮され、もう一方の側でわずかに膨張する。これは、システム５００が、封止されたまま、必要に応じて枢動できるようにする。
【００５６】
いくつかの実施形態では、システムは、いずれの方向にも５度まで枢動することができる。他の実施形態では、システムは、いずれの方向にも２度まで枢動することができる。さらになおその他の実施形態では、システムは、いずれの方向にも１度まで枢動することができる。多少の動きは、異なる状況について提供され得、精度と柔軟性との折衷を表す。
【００５７】
いくつかの可能な実施形態が上に開示されるが、本発明の実施形態はそのように限定されるものではない。例えば、カッターアダプタ２００、カッターヘッド５０５、および軸アダプタ１００の材料のいくつかの可能な構成が開示されてきたが、他の好適な材料および材料の組み合わせは、本発明の実施形態の精神から逸脱することなく選定され得るであろう。加えて、本発明の実施形態の様々な特徴のために使用される配置および構成は、特定のペレタイザ（または他の機械）、工場、または、例えば、製造される材料および／もしくは空間もしくは動力の制約により若干の変更を必要とする用途に応じて変更され得る。そのような変更は、本発明の範囲内に包含されることが意図される。
【００５８】
特定の構成、材料の選定、および様々な要素の大きさと形状は、特定の設計仕様または本発明の原理により構成されるデバイス、システム、または方法を必要とする制約によって変更され得る。そのような変更は、本発明の範囲内に包含されることが意図される。したがって、ここに開示される実施形態は、全ての点で、説明用であり、限定的ではないものとして考えられる。本発明の範囲は、これまでの記述よりはむしろ、添付の請求項によって示され、その均等物の意味および範囲内に入る全ての変更は、その中に包含されることが意図される。
【図１ａ】
0006452700.tif 000002
【図１ｂ】
0006452700.tif 000003
【図２ａ】
0006452700.tif 000004
【図２ｂ】
0006452700.tif 000005
【図３ａ】
0006452700.tif 000006
【図３ｂ】
0006452700.tif 000007
【図４ａ】
0006452700.tif 000008
【図４ｂ】
0006452700.tif 000009
【図４ｃ】
0006452700.tif 000010
【図５ａ】
0006452700.tif 000011
【図５ｂ】
0006452700.tif 000012
【図６】
0006452700.tif 000013
【図７ａ】
0006452700.tif 000014
【図７ｂ】
0006452700.tif 000015